(57)【要約】【課題】ルーバーカバーの固定方法を変更するために用いられる固定ホルダーの着脱を空気調和機の前面側から容易に行うことのできる構造を提供すること。【解決手段】固定ホルダー５１に，該固定ホルダー５１を開口部１０ａに対して前面パネル１０の前面１０ｃから裏面１０ｄに向く方向に挿入したときに，前面パネル１０の開口部１０ａに形成された斜面部１０ｂ（狭窄部の一例）と接触して該固定ホルダー５１の同方向への移動を係止する係止部５４と，前面パネル１０の開口部１０ａに形成された被係合部１０ｅと係合することにより該固定ホルダー５１の前面パネル１０の裏面１０ｄから前面１０ｃに向く方向の移動を係止する係合部５３と，係合部５３と被係合部１０ｅとの係合を解除する係合解除方向に該係合部５３を押圧する作業を前面パネル１０の前面１０ｃ側から行うために形成された作業溝５５とが形成されている。【選択図】図４
2008267617.tif 000002
【特許請求の範囲】
【請求項１】
空気調和機の前面パネルにルーバーカバーをネジ止めするためのネジ穴を有する固定ホルダーを，前記ルーバーカバーを係止するために前記前面パネルに形成された開口部に着脱するための固定ホルダー着脱構造であって，
前記開口部が，前記前面パネルの前面から裏面に向く方向に狭窄状を成す狭窄部と，前記固定ホルダーが装着されるときに該固定ホルダーに係合する被係合部と，を有してなり，
前記固定ホルダーが，該固定ホルダーを前記開口部に対して前記前面パネルの前面から裏面に向く方向に挿入したときに前記狭窄部と接触して該固定ホルダーの同方向への移動を係止する係止部と，前記係止部によって移動が係止されたときに前記被係合部と係合することにより該固定ホルダーの前記前面パネルの裏面から前面に向く方向の移動を係止する係合部と，前記係合部と前記被係合部との係合を解除する係合解除方向に該係合部を押圧する作業を前記前面パネルの前面側から行うために形成された作業溝と，を有してなることを特徴とする固定ホルダー着脱構造。
【請求項２】
前記固定ホルダーに，前記係合部の前記係合解除方向側の端面を前記前面パネルの前面側から見通し可能とするための開口を有する抜止開口部が設けられてなり，
前記抜止開口部の開口に挿入されて前記端面と接触することにより前記係合部の前記係合解除方向への変位を係止する抜止部材を備えてなる請求項１に記載の固定ホルダー着脱構造。
【請求項３】
前記抜止部材が，該抜止部材を回動自在に支持する回動支持部を介して前記固定ホルダーに一体形成されてなる請求項２に記載の固定ホルダー着脱構造。
【請求項４】
空気調和機の前面パネルにルーバーカバーをネジ止めするためのネジ穴を有してなり，前記ルーバーカバーを係止するために前記前面パネルに形成された開口部に着脱される固定ホルダーであって，
当該固定ホルダーを前記開口部に対して前記前面パネルの前面から裏面に向く方向に挿入したときに，前記前面パネルの前面から裏面に向く方向に狭窄状を成すように前記開口部に形成された狭窄部と接触して該固定ホルダーの同方向への移動を係止する係止部と，
前記係止部によって移動が係止されたときに，前記開口部に形成された被係合部と係合することにより該固定ホルダーの前記前面パネルの裏面から前面に向く方向の移動を係止する係合部と，
前記係合部と前記被係合部との係合を解除する係合解除方向に該係合部を押圧する作業を前記前面パネルの前面側から行うために形成された作業溝と，
を有してなることを特徴とする固定ホルダー。
【発明の詳細な説明】
【技術分野】
【０００１】
本発明は，空気調和機に設けられたルーバーカバーの固定方法を変更するために用いられる固定ホルダーの着脱構造に関し，特に，その固定ホルダーの空気調和機への着脱の作業性を改善するための技術に関するものである。
【背景技術】
【０００２】
図１に示すように，空気調和機Ｙは，送風ファンや熱交換器，制御回路など（不図示）の一般的な空気調和機が有する各種の構成要素を収容する筐体１と，筐体１の前面パネル１０を覆う開閉可能な前面カバー１１と，不図示の駆動モータによって駆動される送風ファン（不図示）と，該送風ファンを清掃する際などに開閉されるルーバーカバー１３と，を備えている。ルーバーカバー１３の両端には，前面パネル１０に設けられた開口部１０ａに係合する係合部２２を有するカバー固定部２１が設けられている。なお，前面カバー１１やルーバーカバー１３などは弾性を有する樹脂などの材料で成形されている。
ルーバーカバー１３は，図１（ａ）の部分拡大図Ａに示すように，カバー固定部２１の係合部２２を矢印Ｒ１方向に撓ませて開口部１０ａと係合部２２との係合を解除し，矢印Ｒ２方向に回動させることによって，図１（ｂ）に示すように開かれる。ルーバーカバー１３が開かれると，前記送風ファン（不図示）が露出することになり，該送風ファンの清掃などが可能となる。
一方，図１（ｂ）に示すように，ルーバーカバー１３は，矢印Ｒ３方向に回動されてカバー固定部２１の係合部２２と開口部１０ａとが係合すると，図１（ａ）に示す閉鎖状態に維持される。
このように，ルーバーカバー１３を係合部２２と開口部１０ａとの係合によって簡易に固定する構成では，前記送風ファンの清掃時などにルーバーカバー１３を簡単に開閉することができる。なお，容易に開閉を行うことのできる固定構造の他の例が，例えば特許文献１に開示されている。
【０００３】
ところで，空気調和機の安全基準などは，国や地域によって異なり，前記した空気調和機Ｙのように，ルーバーカバー１３を簡単に開いて前記送風ファン（不図示）などを露出させることのできる構成は，安全性の観点から適切でないと考えられる場合もある。
そこで，図２に示すように，カバー固定部２１（図１参照）に換えてネジ穴３２を有するカバー固定部３１を用い，カバー固定部３１を前面パネル１０にネジ止めすることにより，空気調和機Ｙをルーバーカバー１３が簡単に開くことのできない構造に変更することがある。このとき，前面パネル１０の開口部１０ａにはネジ穴が形成されていないが，該開口部１０ａに後述の固定ホルダー４１などの別部材を装着することにより対応するができる。即ち，空気調和機Ｙでは，後述の固定ホルダー４１などの別部材を着脱することにより，ルーバーカバー１３を係合及びネジ止めのいずれの方法によって固定するかを選択的に採用することができる。
【０００４】
ここに，図１２（ａ）は固定ホルダー４１の前面パネル１０への装着作業を説明するための図，図１２（ｂ）は固定ホルダー４１が前面パネル１０に装着された状態を示す正面図，図１２（ｃ）は図１２（ｂ）におけるＤ−Ｄ矢視断面図である。
図１２（ａ）に示すように，固定ホルダー４１は，カバー固定部３１（図２参照）をネジ止めするためのネジ溝を有するネジ穴４２と，該固定ホルダー４１を前面パネル１０の開口部１０ａに装着するための係止部４３，４４とを有している。なお，固定ホルダー４１も，弾性を有する樹脂などの材料によって成形されている。
一方，前面パネル１０の開口部１０ａの縁部には，前面１０ｃから裏面１０ｄの方向に向けて狭窄状を成す斜面部１０ｂが形成されている。
【０００５】
そして，固定ホルダー４１は，図１２（ａ）に示すように，前面パネル１０の開口部１０ａに，該前面パネル１０の裏面１０ｄ側から前面１０ｃ側へ向けて挿入されることにより，図１２（ｂ）に示すように，開口部１０ａに装着される。
このようにして，固定ホルダー４１が開口部１０ａに装着されると，図１２（ｃ）に示すように，係止部４３と斜面部１０ｂとが接触することにより，固定ホルダー４１の裏面１０ｄ方向への移動が係止され，一方，係止部４４が斜面部１０ｂに接触することにより，固定ホルダー４１の前面１０ｃ方向への移動が係止される。
また，固定ホルダー４１は，係止部４３と斜面部１０ｂとの係止力より勝る力で前面パネル１０の裏面１０ｄ側に向けて引き出されることにより，開口部１０ａから取り外される。
【特許文献１】特開２００６−２４２５０５号公報
【発明の開示】
【発明が解決しようとする課題】
【０００６】
しかしながら，前述したように固定ホルダー４１は，前面パネル１０の裏面１０ｄ側から開口部１０ａに着脱する構造であるため，前面パネル１０を開けてその裏面１０ｄ側で作業を行う必要があり，作業性が悪いという問題がある。
従って，本発明は上記事情に鑑みてなされたものであり，その目的とするところは，ルーバーカバーの固定方法を変更するために用いられる固定ホルダーの着脱を空気調和機の前面側から容易に行うことのできる構造を提供することにある。
【課題を解決するための手段】
【０００７】
上記目的を達成するために本発明は，空気調和機の前面パネルにルーバーカバーをネジ止めするためのネジ穴を有する固定ホルダーを，前記ルーバーカバーを係止するために前記前面パネルに形成された開口部に着脱するための固定ホルダー着脱構造に適用されるものであって，
前記開口部が，前記前面パネルの前面から裏面に向く方向に狭窄状を成す狭窄部と，前記固定ホルダーが装着されるときに該固定ホルダーに係合する被係合部と，を有してなり，
前記固定ホルダーが，該固定ホルダーを前記開口部に対して前記前面パネルの前面から裏面に向く方向に挿入したときに前記狭窄部と接触して該固定ホルダーの同方向への移動を係止する係止部と，前記係止部によって移動が係止されたときに前記被係合部と係合することにより該固定ホルダーの前記前面パネルの裏面から前面に向く方向の移動を係止する係合部と，前記係合部と前記被係合部との係合を解除する係合解除方向に該係合部を押圧する作業を前記前面パネルの前面側から行うために形成された作業溝と，を有してなることを特徴とする固定ホルダー着脱構造である。
本発明によれば，作業者は，前記固定ホルダーを前記前面パネルに装着する際には，空気調和機の前面側から前記固定ホルダーを前記開口部に挿入して容易に装着することができ，前記固定ホルダーを前記前面パネルから取り外す際には，前記作業溝にマイナスドライバーなどの工具を挿入して前記固定ホルダーの係合部を前記係合解除方向に押圧して係合を解除することによって，空気調和機の前面側から前記固定ホルダーを容易に取り外すことができる。したがって，従来のように，前記固定ホルダーを着脱する際に前面パネルを開いて裏面側で作業を行う必要がなく，作業性を向上させることができる。
【０００８】
前述したように，本発明によれば，前記固定ホルダーを前記前面パネルに前方から装着させて，前記係合部と前記被係合部とを係合させることにより，前記固定ホルダーの前方への脱落は防止されるが，前記固定ホルダーに前方に向けて強い力が作用すると，前記係合部や前記被係合部が弾性変形して係合が解除され，前記固定ホルダーが脱落することも考えられる。
そこで，前記固定ホルダーに，前記係合部の前記係合解除方向側の端面を前記前面パネルの前面側から見通し可能とするための開口を有する抜止開口部を設けておき，前記抜止開口部の開口に挿入されて前記端面と接触することにより前記係合部の前記係合解除方向への変位を係止する抜止部材を備える構成が望ましい。これにより，前記抜止部材を前記抜止開口部に挿入することで前記係合部及び前記被係合部の係合が強固になり，前記固定ホルダーの脱落を防止することができる。なお，前記固定ホルダーを取り外す際には，まず前記抜止部材を取り外すことで前述同様の作業で容易に取り外すことが可能となる。
ここで，前記抜止部材は，該抜止部材を回動自在に支持する回動支持部を介して前記固定ホルダーに一体形成してもよく，これにより部品点数の増加を抑制することができる。
【０００９】
更に，前記抜止部材が簡単に脱落しないような構造を採用することが望ましい。
具体的には，前記抜止部材に，回動方向と略垂直な方向に突出する凸部を形成しておき，前記抜止開口部に，前記抜止部材が回動されることによって前記抜止開口部の開口に挿入される途中で前記凸部と接触する平坦部と，前記抜止部材が前記抜止開口部の開口に最後まで挿入されたときに前記凸部が嵌合する凹部を形成しておく。このとき，前記抜止部材や前記抜止開口部に弾性を持たせておけば，前記抜止部材が前記抜止開口部の開口に挿入される途中では，前記抜止部材や前記抜止開口部が弾性変形することにより前記凸部が前記平坦部に接触しながら回動され，前記抜止部材が前記抜止開口部の開口に最後まで挿入されたときには，前記抜止部材や前記抜止開口部の弾性変形が復帰して前記凸部が前記凹部に嵌合される。このようにして，前記凸部と前記凹部が嵌合された状態では，その嵌合を解除するために強い力が必要となるため，前記抜止部材の脱落を防止することができる。
【００１０】
ところで，本発明は，前記固定ホルダーの発明として捉えることもできる。即ち，空気調和機の前面パネルにルーバーカバーをネジ止めするためのネジ穴を有してなり，前記ルーバーカバーを係止するために前記前面パネルに形成された開口部に着脱される固定ホルダーに適用されるものであって，
当該固定ホルダーを前記開口部に対して前記前面パネルの前面から裏面に向く方向に挿入したときに，前記前面パネルの前面から裏面に向く方向に狭窄状を成すように前記開口部に形成された狭窄部と接触して該固定ホルダーの同方向への移動を係止する係止部と，
前記係止部によって移動が係止されたときに，前記開口部に形成された被係合部と係合することにより該固定ホルダーの前記前面パネルの裏面から前面に向く方向の移動を係止する係合部と，
前記係合部と前記被係合部との係合を解除する係合解除方向に該係合部を押圧する作業を前記前面パネルの前面側から行うために形成された作業溝と，を有してなることを特徴とする固定ホルダーとして構成される。
【発明の効果】
【００１１】
本発明によれば，作業者は，前記固定ホルダーを前記前面パネルに装着する際には，空気調和機の前面側から前記固定ホルダーを前記開口部に挿入して容易に装着することができ，前記固定ホルダーを前記前面パネルから取り外す際には，前記作業溝にマイナスドライバーなどの工具を挿入して前記固定ホルダーの係合部を前記係合解除方向に押圧して係合を解除することによって，空気調和機の前面側から前記固定ホルダーを容易に取り外すことができる。したがって，従来のように，前記固定ホルダーを着脱する際に前面パネルを開いて裏面側で作業を行う必要がなく，作業性を向上させることができる。また，前記抜止部材を設けることで，前記係合部及び前記被係合部の係合を強固にして，前記固定ホルダーの脱落を防止することができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る空気調和機Ｘの外観斜視図，図２はカバー固定部３１を説明するための要部構成図，図３は固定ホルダー５１の部品図，図４は固定ホルダー５１の着脱構造を説明するための図である。
図１に示す空気調和機Ｘは，本発明に係るルーバーカバーの固定ホルダー着脱構造が採用されたものであるが，基本構成は前述した空気調和機Ｙと同様であるため，該空気調和機Ｙと同じ構成要素には同一の符号を付してその説明を省略する。
空気調和機Ｘは，ルーバーカバー１３を，図１に示すように係合部２２を有するカバー固定部２１を用いて前面パネル１０に簡易に固定するか，図２に示すようにネジ穴３２を有するカバー固定部３１を用いて前面パネル１０にネジ止めによって強固に固定するかを，後述の固定ホルダー５１（図３参照）を前面パネル１０の開口部１０ａに着脱することによって切り替えることができるものである。なお，カバー固定部２１，３１が，ルーバーカバー１３に着脱可能な構成である場合には，該カバー固定部２１，３１を交換し，ルーバーカバー１３に一体形成されている場合には，そのルーバーカバー１３を交換すればよい。このように空気調和機Ｘでは，一部の部材を交換することや別部材を着脱することで異なる構成を達成することができる。
特に，本発明の実施の形態に係る空気調和機Ｘに採用された固定ホルダー着脱構造は，空気調和機Ｘの前面パネル１０にルーバーカバー１３をネジ止めするための固定ホルダー５１（図３参照）を，ルーバーカバー１３を係止するために前面パネル１０に形成された開口部１０ａに着脱するための作業を空気調和機Ｘの前方から容易に行うことができる点に特徴を有しており，以下，この点について詳述する。
【００１３】
まず，図３を用いて，固定ホルダー５１の形状について説明する。
図３の三面図（（ａ）：正面図，（ｂ）：平面図，（ｃ）：右側面図）に示すように，固定ホルダー５１には，ネジ穴５２，係合部５３，係止部５４，作業溝５５などが形成されている。
ネジ穴５２には，カバー固定部３１のネジ穴３２（図２参照）から挿入されるネジが螺合されるネジ溝が形成されている。ルーバーカバー１３（図２参照）は，カバー固定部３１が固定ホルダー５１のネジ穴３２にネジ止めされることにより閉鎖状態に維持される。
係合部５３は，前面パネル１０の開口部１０ａ（図４参照）に形成された後述の被係合部１０ｅ（図４参照）に係合することにより，固定ホルダー５１の前面パネル１０の裏面１０ｄから前面１０ｃに向く方向の移動を係止するものであって，内外に撓む所謂スナップフィット形状に形成されている。
係止部５４は，固定ホルダー５１を前面パネル１０の開口部１０ａに装着する際に，前面パネル１０の開口部１０ａに形成された後述の斜面部１０ｂ（図４参照）に当接することにより，固定ホルダー５１の前面パネル１０の前面１０ｃから裏面１０ｄに向く方向への移動を係止するものである。
作業溝５５は，固定ホルダー５１を開口部１０ａから取り外す際に，係合部５３と後述の被係合部１０ｅ（図４参照）との係合を解除する係合解除方向に該係合部５３を押圧する作業を前面パネル１０の前面１０ｃ側から行うために形成されたものである。
【００１４】
次に，図４を用いて，前面カバー１０に形成された開口部１０ａの形状について説明する。ここに，図４（ａ）は固定ホルダー５１の前面パネル１０の開口部１０ａへの装着作業を説明するための図，図４（ｂ）は固定ホルダー５１が前面パネル１０の開口部１０ａに装着された状態を示す側断面図，図４（ｃ）は固定ホルダー５１が前面パネル１０の開口部１０ａに装着された状態を示す正面図，図４（ｄ）は図４（ｃ）におけるＡ−Ａ矢視断面図である。
図４（ａ）に示すように，開口部１０ａには，前面パネル１０の前面１０ｃから裏面１０ｄに向く方向に狭窄状を成す斜面部１０ｂ（狭窄部の一例）が形成されている。
斜面部１０ｂは，固定ホルダー５１が装着された際に係止部５４と接触することにより，該固定ホルダー５１の前面パネル１０の前面１０ｃから裏面１０ｄに向く方向の移動を係止するものである。
また，図４（ｄ）に示すように，開口部１０ａには，前面パネル１０の前面１０ｃから裏面１０ｄに向けて突出しており，固定ホルダー５１が装着されるときに該固定ホルダー５１の係合部５３に係合する被係合部１０ｅが形成されている。
被係合部１０ｅは，固定ホルダー５１が装着されるときに該固定ホルダー５１の係合部５３と係合することにより，該固定ホルダー５１の前面パネル１０の裏面１０ｄから前面１０ｃに向く方向の移動を係止するものである。
【００１５】
続いて，図４を用いて，空気調和機Ｘの前面パネル１０の開口部１０ａへの固定ホルダー５１の着脱構造について説明する。
まず，固定ホルダー５１を装着する場合について説明する。
図４（ａ）に示すように，固定ホルダー５１は，前面パネル１０の開口部１０ａに対して，該前面パネル１０の前面１０ｃ側から裏面１０ｄ側へ向けて挿入されることにより，図４（ｂ），（ｃ）に示すように，開口部１０ａに装着される。このとき，固定ホルダー５１を装着する作業者は，前面パネル１０の前面１０ｃから固定ホルダー５１を装着すればよく，従来のように，前面パネル１０を開いてその裏面１０ｄ側で作業を行う必要はないため，簡単にその装着作業を行うことができる。
そして，固定ホルダー５１が開口部１０ａに装着されると，図４（ｂ）に示すように，係止部５４と斜面部１０ｂとが接触することになるため，固定ホルダー５１の前面パネル１０の前面１０ｃから裏面１０ｄに向く方向への移動は係止される。なお，斜面部１０ｂは，係止部５４を入れた時に密着するように，該斜面部１０ｂを形成する樹脂にバネ性を持たせ，固定ホルダー５１を前面パネル１０の裏面１０ｄから前面１０ｃに向く方向へバネ性で押し戻すようにしても良い。
また，固定ホルダー５１の係止部５４が斜面部１０ｂと接触することにより，該固定ホルダー５１の前面パネル１０の前面１０ｃから裏面１０ｄに向く方向への移動が係止された状態では，図４（ｄ）に示すように，係合部５３と被係合部１０ｅとが係合することになるため，固定ホルダー５１の前面パネル１０の裏面１０ｄから前面１０ｃに向く方向への移動は係止される。
即ち，固定ホルダー５１は，係合部５３及び被係合部１０ｅと，係止部５４及び斜面部１０ｂとによって，前面パネル１０に固定される。
【００１６】
次に，固定ホルダー５１を取り外す場合について説明する。
図４（ｂ），（ｃ）に示すように前面パネル１０の開口部１０ａに装着された固定ホルダー５１は，前面パネル１０の前面１０ｃ側からマイナスドライバー等の工具を作業溝５５に挿入して，係合部５３及び被係合部１０ｅの係合を解除する方向（係合解除方向）に向けて係合部５３を押圧することにより，その係合部５３と被係合部１０ｅとの係合を解除することができる。これにより，固定ホルダー５１の前面パネル１０の裏面１０ｄから前面１０ｃに向けた方向の移動の係止が解除されるため，該固定ホルダー５１を同方向から取り外すことができる。
このように，空気調和機Ｘでは，固定ホルダー５１を取り外す際にも，作業者は，従来のように前面パネル１０を開いてその裏面１０ｄ側で作業を行う必要はなく，前面パネル１０の前面１０ｃから簡単にその取り外し作業を行うことができる。
【実施例１】
【００１７】
以下，実施例１〜３では，前記実施の形態で説明した固定ホルダー５１の変形例について説明する。なお，前記実施の形態や実施例１〜３において同様の構成要素には同じ符号を付してその説明を省略する。
ここに，図５は本発明の実施例１に係る固定ホルダー６１の部品図，図６は固定ホルダー６１に装着される抜止部材７１の部品図，図７は固定ホルダー６１の着脱作業を説明するための図である。
本実施例１に係る固定ホルダー６１には，図５の三面図（（ａ）：正面図，（ｂ）：平面図，（ｃ）：右側面図）に示すように，後述する抜止部材７１（図６参照）を嵌合するための開口部６２（抜止開口部の一例）が形成されている。
開口部６２は，係合部５３の被係合部１０ｅ（図４参照）との係合を解除する方向側（係合解除方向側）の端面５３ａを前面パネル１０の前面１０ｃ側から見通し可能とするための開口６３を有している。即ち，開口部６２の開口６３は，平面視で少なくとも端面５３ａの一部よりも外側の領域を含むように形成されている。ここに，端面５３ａは，図５（ａ）において下方から上方に向けて狭窄するように傾斜して形成されている。
一方，抜止部材７１は，図６の四面図（（ａ）：正面図，（ｂ）：平面図，（ｃ）：右側面図，（ｄ）：裏面図）に示すように，固定ホルダー６１の開口部６２の開口６３に嵌合される嵌合部７２を有している。
嵌合部７２は，開口部６２の開口６３に挿入されて端面５３ａと接触することにより係合部５３の係合解除方向への変位を係止するものである。特に，ここでは，嵌合部７２及び開口６３は，該嵌合部７２が開口６３に挿入された際に，係合部５３の端面５３ａを被係合部１０ｅ側に向けて押圧するように形成されている。
【００１８】
次に，図７を用いて，空気調和機Ｘの前面パネル１０の開口部１０ａへの固定ホルダー６１の着脱について説明する。
ここに，図７（ａ）は固定ホルダー６１が前面パネル１０の開口部１０ａに装着された状態を示す正面図，図７（ｂ）は図７（ａ）におけるＢ−Ｂ矢視断面図である。
図７（ａ）に示すように，固定ホルダー６１が前面パネル１０の開口部１０ａに装着された後，その固定ホルダー６１に対して抜止部材７１が装着される。なお，この作業も空気調和機Ｘの前方から行われる。
固定ホルダー６１に抜止部材７１が装着されると，図７（ｂ）に示すように，抜止部材７１の嵌合部７２が開口部６２の開口６３に嵌合される。これにより，嵌合部７２と係合部５３の端面５３ａとが接触することになるため，係合部５３及び被係合部１０ｅの係合を解除する方向への変位が防止される。したがって，固定ホルダー６１の係合部５３と被係合部１０ｅとの係合の解除が防止され，固定ホルダー６１の抜け止めを図ることができる。
また，固定ホルダー６１を取り外す際には，まず抜止部材７１を取り外すことで，前記実施の形態と同様に，作業溝５５からマイナスドライバーなどの工具を用いて係合部５３と被係合部１０ｅとの係合を解除することで，簡単に固定ホルダー６１を取り外すことができる。
なお，ここでは，二つの嵌合部７２が一体に形成された抜止部材７１について説明したが，二つの嵌合部７２を別々の部材（抜止部材の一例）として，二つの開口部６２の開口６３に嵌合させる構成であってもよい。
【実施例２】
【００１９】
前記実施例１では，固定ホルダー６１に，別部材の抜止部材７１を装着する構成について説明したが，本実施例２では，抜止部材７１が一体形成された固定ホルダー８１について説明する。
ここに，図８は本実施例２に係る固定ホルダー８１の部品図，図９は固定ホルダー８１における抜止部材７１の嵌合作業を説明するための図である。
図８の三面図（（ａ）：正面図，（ｂ）：平面図，（ｃ）：右側面図）に示すように，本実施例２に係る固定ホルダー８１には，抜止部材７１が，該抜止部材７１を回動自在に支持するヒンジ部８２（回動支持部の一例）を介して一体形成されている。ここに，固定ホルダー８１は，樹脂などの弾性変形が可能な材料で成形されている。したがって，抜止部材７１をヒンジ部８２を弾性変形させることにより，該抜止部材７１を回動させることが可能である。
このように構成された固定ホルダー８１では，図９（ａ），（ｂ）に示すように，ヒンジ部８２を弾性変形させて抜止部材７１を矢印方向に回動させることによって，図９（ｂ）の破線や図９（ｃ）に示すように，抜止部材７１の嵌合部７２を開口部６２の開口６３に嵌合させることができる。
但し，抜止部材７１を回動させて嵌合部７２を開口６３に嵌合させるため，該嵌合部７２の回動方向における開口６３の開口寸法は該嵌合部７２よりも大きめに形成しておく必要がある。
【実施例３】
【００２０】
ここに，図１０は本実施例３に係る固定ホルダー９１の部品図，図１１は固定ホルダー９１における抜止部材７１の嵌合作業を説明するための図である。また，図１１（ｄ）は，図１１（ｃ）におけるＣ−Ｃや字断面図である。
図１０の三面図（（ａ）：正面図，（ｂ）：平面図，（ｃ）：右側面図）に示すように，本実施例３に係る固定ホルダー９１では，抜止部材７１の嵌合部７２に，回動方向と略垂直な方向に突出する凸部９２が形成されている。また，開口部６２の開口６３内の壁部６３ａに，凸部９２の凸形状に対応する凹形状を成す凹部９３が形成されている。ここで，凹部９３は，固定ホルダー９１において抜止部材７１の嵌合部７２が開口部６２の開口６３に最後まで嵌合されたときに，凸部９２が凹部９３に嵌合するような位置に形成されている。ここに，抜止部材７１や開口部６２は，弾性を有する樹脂などで成形されたものである。なお，抜止部材７１及び開口部６２のいずれか一方だけが弾性を有する材料で成形されていればよい。
このように構成された固定ホルダー９１では，図１１（ａ），（ｂ）に示すように，ヒンジ部８２を弾性変形させて抜止部材７１を矢印方向に回動させると，該抜止部材７１の嵌合部７２に形成された凸部９２は，開口部６２の開口６３の縁部に接触して係止される。このとき，更に強い力で抜止部材７１を押圧すると，嵌合部７２や壁部６３ａが弾性変形によって撓んで，凸部９２が開口６３の縁部を乗り越えて開口６３内の壁部６３ａ（平坦部の一例）に接触しながら移動することになる。そして，嵌合部７２が開口部６２の開口６３に最後まで嵌合されると，弾性変形によって撓んでいた嵌合部７２や壁部６３ａが復帰して，凸部９２と凹部９３が嵌合する。
このように，固定ホルダー９１では，嵌合部７２や壁部６３ａが弾性変形した状態で凸部９２と壁部６３ａとが接触しながら抜止部材７１の嵌合部７２が開口部６２の開口６３に挿入されるが，凸部９２と凹部９３が完全に嵌合する時点では，嵌合部７２や壁部６３ａの弾性変形が復帰しており，その嵌合を解除するために強い力が必要となる。したがって，凸部９２の凹部９３からの離脱，即ち抜止部材７１の嵌合部７２の開口６３からの離脱を防止することができる。
【図面の簡単な説明】
【００２１】
【図１】本発明の実施の形態に係る空気調和機の外観斜視図。
【図２】本発明の実施の形態に係る空気調和機のカバー固定部を説明するための要部構成図。
【図３】本発明の実施の形態に係る空気調和機の固定ホルダーの部品図。
【図４】本発明の実施の形態に係る空気調和機の固定ホルダーの着脱構造を説明するための図。
【図５】本発明の実施例１に係る固定ホルダーの部品図。
【図６】本発明の実施例１に係る固定ホルダーに装着される抜止部材の部品図。
【図７】本発明の実施例１に係る固定ホルダーの着脱作業を説明するための図。
【図８】本実施例２に係る固定ホルダーの部品図。
【図９】本実施例２に係る固定ホルダーにおける抜止部材の嵌合作業を説明するための図。
【図１０】本実施例３に係る固定ホルダーの部品図。
【図１１】本実施例３に係る固定ホルダーにおける抜止部材の嵌合作業を説明するための図。
【図１２】従来の空気調和機の固定ホルダーの着脱構造を説明するための図。
【符号の説明】
【００２２】
１…筐体
１０…前面パネル
１０ａ…開口部
１０ｂ…斜面部（狭窄部の一例）
１０ｃ…前面
１０ｄ…裏面
１０ｅ…被係合部
１３…ルーバーカバー
２１，３１…カバー固定部
５１，６１，８１，９１…固定ホルダー
５２…ネジ穴
５３…係合部
５４…係止部
５５…作業溝
７１…抜止部材
７２…嵌合部
Ｘ…空気調和機
【図１】
2008267617.tif 000003
【図２】
2008267617.tif 000004
【図３】
2008267617.tif 000005
【図４】
2008267617.tif 000006
【図５】
2008267617.tif 000007
【図６】
2008267617.tif 000008
【図７】
2008267617.tif 000009
【図８】
2008267617.tif 000010
【図９】
2008267617.tif 000011
【図１０】
2008267617.tif 000012
【図１１】
2008267617.tif 000013
【図１２】
2008267617.tif 000014